(57)【要約】      （修正有）【課題】ロック状態に陥る箇所をなくして、リーフの停止位置の制限がなく、回転防止の部品も不要で取り扱いが容易な反転表示器を提供する。【解決手段】コ字状のベース体の先端部側の内壁面に歯車収納凹部が形成された一方のベース板３の歯車収納凹部の中心部と他方のベース板７の先端部側とに取付けられた軸５と、歯車収納凹部内に取付けられた歯車６と、他方のベース板側の軸に取付けられた回転体１０と、回転体および歯車に等間隔で両端部の中央部に設けた枢支ピンで回転可能に取付けられた反転表示が可能な複数個のリーフ１５と、歯車を回転させる駆動歯車２０を駆動させるモータ１８と、歯車のリーフ側の面に、リーフの枢支ピンが中心となるように形成された複数個の円弧状のガイド溝、リーフの端面に形成された少なくとも２対のガイドピン、歯車収納凹部内へ突出する歯部とからなるピン車反転機構とで構成されている。【選択図】図２
2010026358.tif 000002
【特許請求の範囲】
【請求項１】
コ字状のベース体と、このコ字状のベース体の先端部側の内壁面に歯車収納凹部が形成された一方のベース板の歯車収納凹部の中心部と他方のベース板の先端部側とに取付けられた軸と、前記一方のベース板の歯車収納凹部内で前記軸に回転可能に取付けられた歯車と、前記他方のベース板側の前記軸に回転可能に取付けられた回転体と、この回転体および前記歯車に等間隔で両端部の中央部に設けた枢支ピンで回転可能に取付けられた反転表示が可能な複数個のリーフと、前記一方のベース板に取付けられた前記歯車を回転させる駆動歯車を駆動させるモータと、前記歯車の前記複数個のリーフ側の面に、該複数個のリーフの枢支ピンが中心となるように形成された複数個の円弧状のガイド溝、これらのガイド溝に案内されて移動するとともに、前記歯車収納凹部の周壁と当接可能に移動する前記複数個のリーフの端面に形成された少なくとも２対のガイドピン、前記複数個のリーフを１８０度回転させる部位に回転してくると、前記歯車収納凹部の周壁と当接していたガイドピンが当り、該リーフを１８０度回転させる該歯車収納凹部内へ突出する歯部とからなるピン車反転機構とを備えることを特徴とする反転表示器。
【請求項２】
複数個のリーフ間の外側部位には、両端部が歯車および回転体に固定されたマスクが取付けられていることを特徴とする請求項1記載の反転表示器。
【発明の詳細な説明】
【技術分野】
【０００１】
本発明は反転表示が可能な複数個のリーフを用いた反転表示器に関する。
【背景技術】
【０００２】
従来、反転表示が可能な複数個のリーフを反転させるために、溝カム反転方式が用いられているが、構造上、反転動作が不安定な箇所が存在し、モータが脱調した場合に発生する振動や、輸送中の振動など、リーフに外部からの衝撃が加えられた際に、リーフに設けられた反転ガイドのためのボスが、本来の軌跡を外れることにより、リーフ（ボス）の引っ掛かりを誘発し、ロック状態に陥る等の現象が発生することがあることから、リーフを停止させる位置を制限したり、輸送時等に回転防止の部品を装着しなければならないという欠点があった。
【特許文献１】特願２００７−０８８１９３
【発明の開示】
【発明が解決しようとする課題】
【０００３】
本発明は以上のような従来の欠点に鑑み、ピン車反転機構を用いて複数個のリーフを反転させることにより、従来のようにロック状態に陥る箇所をなくして、リーフの停止位置の制限がなく、回転防止の部品も不要な、取り扱いが容易な反転表示器を提供することを目的としている。
【０００４】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００５】
上記目的を達成するために、本発明はコ字状のベース体と、このコ字状のベース体の先端部側の内壁面に歯車収納凹部が形成された一方のベース板の歯車収納凹部の中心部と他方のベース板の先端部側とに取付けられた軸と、前記一方のベース板の歯車収納凹部内で前記軸に回転可能に取付けられた歯車と、前記他方のベース板側の前記軸に回転可能に取付けられた回転体と、この回転体および前記歯車に等間隔で両端部の中央部に設けた枢支ピンで回転可能に取付けられた反転表示が可能な複数個のリーフと、前記一方のベース板に取付けられた前記歯車を回転させる駆動歯車を駆動させるモータと、前記歯車の前記複数個のリーフ側の面に、該複数個のリーフの枢支ピンが中心となるように形成された複数個の円弧状のガイド溝、これらのガイド溝に案内されて移動するとともに、前記歯車収納凹部の周壁と当接可能に移動する前記複数個のリーフの端面に形成された少なくとも２対のガイドピン、前記複数個のリーフを１８０度回転させる部位に回転してくると、前記歯車収納凹部の周壁と当接していたガイドピンが当り、該リーフを１８０度回転させる該歯車収納凹部内へ突出する歯部とからなるピン車反転機構とで反転表示器を構成している。
【発明の効果】
【０００６】
以上の説明から明らかなように、本発明にあっては次に列挙する効果が得られる。
【０００７】
（１）ピン車反転機構で、リーフの１８０度の回転は歯車収納凹部内へ突出する歯部とリーフのガイドピンの係合およびガイド溝内をガイドされるガイドピンによって行ない、リーフの回転不能な回動はガイドピンと歯車収納凹部の周壁との当接によって行なうことができる。
したがって、リーフがどの位置であっても、従来のようにロック状態に陥る箇所がなく、動作不良となるのを確実に防止することができる。
【０００８】
（２）前記（１）によって、リーフの停止位置を制限する必要がなく、回転防止の部品も不要となるので取り扱いが容易で、コストの低減を図ることができる。
【０００９】
（３）前記（１）によって、複数個のリーフの両端部が一方のベース板に取付けられた歯車、他方のベース板に取付けられた回転体に取付けられているので、リーフの軸心方向の長さを自由に設定することができる。
【００１０】
（４）請求項２も前記（１）〜（３）と同様な効果が得られるとともに、リーフ間に位置するマスクによって、リーフ間の隙間を隠すことができる。
したがって、きれいにリーフを見せることができる。
【発明を実施するための最良の形態】
【００１１】
以下、図面に示す本発明を実施するための最良の形態により、本発明を詳細に説明する。
【００１２】
図１ないし図１０に示す本発明を実施するための最良の第１の形態において、１は本発明の反転表示器で、この反転表示器1は先端部が半円弧形状に形成されたコ字状のベース体２と、このコ字状のベース体２の一方のベース板３の先端部の内側面に形成された歯車収納凹部4の中央部と他方のベース板7の先端部の内側面に形成された回転体収納凹部８の中央部に取付けられた軸５と、前記一方のベース板３の歯車収納凹部４内で前記軸５に回転可能に取付けられた歯車６と、前記他方のベース板７の回転体収納凹部８内に位置するように、前記軸５に回転可能に取付けられた回転体１０と、この回転体１０および前記歯車６に等間隔で形成された、本実施の形態では５等分の間隔で形成された軸孔１１、１１、１１、１１、１１、１２、１２、１２、１２、１２に回転可能に支持された枢支軸１３、１３、１３、１３、１３、１４、１４、１４、１４、１４が両端部の中央部に形成された反転表示が可能な両面が弧状のリーフ１５、１５、１５、１５、１５と、前記一方のベース板３の反先端部側の内面に駆動軸１６が外側の基板収納凹部１７内へ突出するように取付けられたモータ１８と、このモータ１８の駆動軸１６に固定された、前記一方のベース板３の外側に位置し、透孔１９を介して前記歯車６と噛み合う駆動歯車２０と、前記リーフ１５、１５、１５、１５、１５を所定位置で１８０度回転させる前記一方のベース板３、前記歯車６および前記リーフ１５、１５、１５、１５、１５に形成されたピン車反転機構２１と、前記一方のベース板３の外側の基板収納凹部１７を覆うように取付けられる基板２２とで構成されている。
【００１３】
前記ピン車反転機構２１は、前記歯車６の前記複数個のリーフ１５、１５、１５、１５、１５側の面に、該複数個のリーフ１５、１５、１５、１５、１５の枢支軸１３、１３、１３、１３、１３が中心となるように形成された複数個の円弧状のガイド溝２３、２３、２３、２３、２３と、これらのガイド溝２３、２３、２３、２３、２３に案内されて移動するとともに、前記歯車収納凹部４の周壁４ａと当接可能に移動する、前記複数個のリーフ１５、１５、１５、１５、１５の端面に形成された少なくとも２対、本実施の形態では２対のガイドピン２４、２４、２５、２５と、前記複数個のリーフ１５、１５、１５、１５、１５を１８０度回転させる部位に回転してくる、前記歯車収納凹部４の周壁４ａと当接していたガイドピン２４と当り、該リーフ１５を１８０度回転させる該歯車収納凹部４内へ突出する１個の山２６と、この山２６の両側部に谷２７、２７を有する歯部２８とで構成され、この歯部２８にガイドピン２４が当ると、リーフ１５の先端部側の回動が停止するため、リーフ１５は枢支軸１３を中心に後端部が前方へ回動する。
この時、ガイドピン２４、２５はガイド溝２３内へ入るとともに、リーフ１５が９０度回転し、歯部２８に当接したガイドピン２４のリーフ１５の回転方向の後方に位置するガイドピン２５が歯部２８の谷側へ入って、１８０度回転したリーフ１５を後方へ回動させ、歯車収納凹部４の周壁４ａに沿って、外側に位置するガイドピン２５、２５が案内されてリーフ１５の回転を防止する。
【００１４】
上記構成の反転表示器１はモータ１８の駆動によって駆動歯車２０が回転し、この駆動歯車２０と噛み合っている歯車６が回転する。この歯車６の回転によりリーフ１５、１５、１５、１５、１５および回転体１０が回転する。
この時、ピン車反転機構２１の歯車収納凹部４の周壁４ａと当接している外側の一対のガイドピン２４、２４あるいは２５、２５によって、リーフ１５、１５、１５、１５、１５の回転が阻止されている。
リーフ１５、１５、１５、１５、１５を１８０度回転させる部位に回動位置すると、外側の先端部のガイドピン２４あるいは２５が歯部２８と当り、リーフ１５の先端部の移動を停止させるため、リーフ１５は枢支軸１３を中心に後端部が前方へ回動し、リーフ１５が１８０度回動したところでガイドピン２４、２４あるいは２５、２５が歯部２８より離れて歯車収納凹部４の周壁４ａと当接して、移動できる状態となる。
このようにして順次、後方のリーフ１５、１５、１５、１５、１５を１８０度回転させて、表示を変えることができる。
[発明を実施するための異なる形態]
【００１５】
次に、図１１ないし図１９に示す本発明を実施するための異なる形態につき説明する。なお、これらの本発明を実施するための異なる形態の説明に当って、前記本発明を実施するための最良の第１の形態と同一構成部分には同一符号を付して重複する説明を省略する。
【００１６】
図１１ないし図１６示す本発明を実施するための第２の形態において、前記本発明を実施するための最良の第１の形態と主に異なる点は、３個のリーフ１５Ａ、１５Ａ、１５Ａを用いるとともに、３対のガイドピン２４、２４、２５、２５、２９、２９および２個の山２６、２６が歯車収納凹部４内へ突出し、３個の谷２７、２７、２７が周壁４ａの外周部に位置する歯部２８Ａを用いたピン車反転機構２１Ａを用いた点で、このように構成した反転表示器１Ａにしても、前記本発明を実施するための最良の第１の形態と同様な作用効果が得られるとともに、３対のガイドピン２４、２４、２５、２５、２９、２９によって、よりスムーズにリーフ１５Ａ、１５Ａ、１５Ａを回転や反転させることができる。
【００１７】
図１７ないし図１９に示す本発明を実施するための第３の形態において、前記本発明を実施するための第２の形態と主に異なる点は、リーフ１５Ａ、１５Ａ、１５Ａ間の隙間を覆うように歯車６と回転体１０の外周部にマスク３０、３０、３０を固定した点で、このように構成した反転表示器１Ｂにしても、前記本発明を実施するための第２の形態と同様な作用効果が得られるとともに、リーフ１５Ａ、１５Ａ、１５Ａの端部をきれいにできる。
【産業上の利用可能性】
【００１８】
本発明は反転表示器を製造する産業で利用される。
【図面の簡単な説明】
【００１９】
【図１】本発明を実施するための最良の第１の形態の斜視図。
【図２】本発明を実施するための最良の第１の形態の分解斜視図。
【図３】図１の３−３線に沿う断面図。
【図４】本発明を実施するための最良の第１の形態の歯車の説明図。
【図５】本発明を実施するための最良の第１の形態の回転体の説明図。
【図６】本発明を実施するための最良の第１の形態のリーフの説明図。
【図７】本発明を実施するための最良の第１の形態の歯車収納凹部を示す一方のベース板の説明図。
【図８】本発明を実施するための最良の第１の形態のリーフの回動しない状態の説明図。
【図９】本発明を実施するための最良の第１の形態のリーフの前半の回動状態の説明図。
【図１０】本発明を実施するための最良の第１の形態のリーフの後半の回動状態の説明図。
【図１１】本発明を実施するための第２の形態の斜視図。
【図１２】本発明を実施するための第２の形態の分解斜視図。
【図１３】本発明を実施するための第２の形態のリーフの説明図。
【図１４】本発明を実施するための第２の形態の歯車収納凹部を示す一方のベース板の説明図。
【図１５】本発明を実施するための第２の形態のリーフの前半の回動状態の説明図。
【図１６】本発明を実施するための第２の形態のリーフの後半の回動状態の説明図。
【図１７】本発明を実施するための第３の形態の斜視図。
【図１８】本発明を実施するための第３の形態の分解斜視図。
【図１９】図１７の１９−１９線に沿う断面図。
【符号の説明】
【００２０】
１、１Ａ、１Ｂ：反転表示器、  ２：ベース体、
３：一方のベース板、          ４：歯車収納凹部、
５：軸、                      ６：歯車、
７：他方のベース板、          ８：回転体収納凹部、
１０：回転体、                １１、１２：軸孔、
１３、１４：枢支軸、          １５、１５Ａ：リーフ、
１６：駆動軸、                １７：基板収納凹部、
１８：モータ、                １９：透孔、
２０：駆動歯車、              ２１、２１Ａ：ピン車反転機構、
２２：基板、                  ２３：ガイド溝、
２４、２５：ガイドピン、      ２６：山、
２７：谷、                    ２８、２８Ａ：歯部、
２９：ガイドピン、            ３０：マスク。
【図１】
2010026358.tif 000003
【図２】
2010026358.tif 000004
【図３】
2010026358.tif 000005
【図４】
2010026358.tif 000006
【図５】
2010026358.tif 000007
【図６】
2010026358.tif 000008
【図７】
2010026358.tif 000009
【図８】
2010026358.tif 000010
【図９】
2010026358.tif 000011
【図１０】
2010026358.tif 000012
【図１１】
2010026358.tif 000013
【図１２】
2010026358.tif 000014
【図１３】
2010026358.tif 000015
【図１４】
2010026358.tif 000016
【図１５】
2010026358.tif 000017
【図１６】
2010026358.tif 000018
【図１７】
2010026358.tif 000019
【図１８】
2010026358.tif 000020
【図１９】
2010026358.tif 000021